(57)【特許請求の範囲】
【請求項１】
左右一対の前脚体（１０，１１）と左右一対の後脚体（１１，１０）と各前記前脚体及び各前記後脚体を開閉自在に軸支する左右一対の両平板状回転部材（６，７）とを備える脚立であって、両脚体（１０，１１）の左右上端部に固定的に支持する一対の両平板状回転部材（６，７）の夫々の内側上部内に両回転軸（４，５）と内側縁上部に両歯車（２，３）が一体成形され、相対回転手段として前記両平板状回転部材（６，７）の両歯車（２，３）を相対的に噛み合わせ、両平板状回転部材（６，７）の回転軸（４，５）と結合回転部材（１）の両回転軸（４，５）を軸支ピン（４，５）にて、相対回転可能に軸支する回転手段（６，４，５，７）で、軸支し、梯子兼用脚立の梯子状態にて両平板状回転部材（６，７）の上端縁側の両突き合わせ部（８，９）が突き合い、結合回転部材（１）を少なくとも一方に設けて、両平板状回転部材（６，７）を前後一対の両脚体（１０，１１）の外側面上端部側に夫々連結することを特徴とする梯子兼用脚立。
【請求項２】
上記記載の相対回転手段として、ゴム（２２）で構成される圧接部（２３）の摩擦による圧接摺動することで、両脚体（１０，１１）と結合回転部材（１）が相対回転移動することを特徴とする請求項１記載の梯子兼用脚立。
【請求項３】
平板状回転部材（６，７）の上端縁側の突き合わせ部（８．９）を拡張して両平板状回転部材（６ａ，７ａ）と上端縁側の突き合わせ部（８ａ，９ａ）に成形されることを特徴とする請求項１記載の梯子兼用脚立。
【請求項４】
両平板状回転部材（６ａ，７ａ）の上端縁側の両突き合わせ部（８ａ，９ａ）をカバーするように成形される結合回転部材（１ａ）で構成されることを特徴とする請求項１記載の梯子兼用脚立。
【発明の詳細な説明】
【技術分野】
【０００１】  本発明は、前後一対の脚体が開閉しうるように両脚体を回転可能に連結して梯子兼用脚立を構成するための回転金具に関する。
【背景技術】
【０００２】  従来の梯子兼用脚立図７（Ａ）の梯子状態での使用を示す側面図である。一対の平板状回転部材３１，３２からなり、両平板状回転部材のそれぞれ内端縁上部側に対向して一体連接された耳片相互をリベット等の軸支ピンで軸支連結することによって構成される。この回転金具３０は、左右一組で使用される物で、脚立状態から一方の回転部材を固定させたまま他方の回転部材を上向きに回転させて、両回転部材の上端縁相互が突き合わさるような展開状態とすることにより、梯子として使用できるようになっている。
【先行技術文献】
【特許文献】
【０００３】
【特許文献１】特開２００９−３５９４４号公報
【発明の概要】
【発明が解決しようとする課題】
【０００４】  上記従来の梯子兼用脚立図７（Ａ）にあっては、平板状回転部材の回転金具３０が脚体部より突出しているため、傾斜のある構造物（Ｃ）等に立てかける際、両平板状回転部材の回転金具３０が構造物（Ｃ）等に接触して梯子が不安定になり、接触を回避するために梯子を必要以上に傾斜すると回転金具と脚部が過負荷となり、梯子の転倒、滑り、破損、揺れる等の問題点があった。また、収納及び運搬時に、両脚体３３，３４が平行に収まらないために、積み重ねると荷崩れを起こすこともある。【０００５】  本発明は、梯子兼用脚立の展開状態である梯子状態図７（Ｂ）の時、両平板状回転部材６，７の結合回転部材１が脚体から突出しないことを目的としており、更に該装置に用いられる平板状回転部材６，７の両突き合わせ部８，９が直線的であり両平板状回転部材の変形がなく強度が増し、製造が容易であり、収納時両脚体が平行に収まり収納でき得る安全な構造の回転金具Ｍを提供することを目的とする。
【課題を解決するための手段】
【０００６】  本発明の第１の課題解決手段は、上記目的を達成するために、左右一対となる両平板状回転部材の両回転軸を脚体内側に収まるように設け、両平板状回転部材の回転軸部を繋ぐために、結合回転部材に２つの回転軸部を設けて、両平板状回転部材を軸支ピン等で個々に軸支したものである。【０００７】  また、上記結合回転部材を取り付けると脚体を展開状態にする時、両平板状回転部材と結合回転部材の移動がスムーズに出来ないため、両平板状回転部材の内側縁上部の接触する面に相対回転手段として歯車を設け、左右組み合わせて結合回転部材を両平板状回転部材と軸支することで、結合回転部材が相対回転可能となり、スムーズに相対回転移動するように構成されることを特徴としている。【０００８】  また、第２の課題解決手段は、上記相対回転手段として、両平板状回転部材の内側縁上端部内にゴム装着部を設け、上記装着部にゴムを堅固に装着し結合回転部材でゴム同士を圧接するように配置されることを特徴としている。【０００９】  また、第３の課題解決手段は、両平板状回転部材の突き合わせ部を拡張した平板状回転部材を設けられたことを特徴としている。【００１０】  更に、第４の課題解決手段は、両平板状回転部材の突き合わせ部を結合回転部材でカバーするように結合回転部材を拡張し成形されたことを特徴としている。
【発明の効果】
【００１１】  上記第１の課題解決手段による作用効果は次の通りである。すなわち、図７（Ｂ）のように脚立を回転展開して梯子にすることにより、脚体の側面より見て、両脚体の結合回転部材１が両脚体の面状より突出しないために、梯子を構造物（Ｃ）に立てかけることが出来るので、脚立の揺れが無くなり梯子の転倒、滑り、過負荷による破損を防止することができる。また、収納及び運搬時に、結合回転部材が突出しないので平行に積み重ねることができ、荷崩れを防止することができる。【００１２】  また、第２の課題解決手段は、上記第１の課題解決手段効果と同様の作用効果を得ることができる。【００１３】  また、第３の課題解決手段では、踏桟の多い梯子兼用脚立は両平板状回転部材の両突き合わせ部の荷重が増加するために、上記両平板状回転部材の突き合わせ部を拡張することで破壊荷重を分散して耐え得る構造となるから、回転金具Ｍの耐用性を向上させることができる。【００１４】  更に、第４の課題解決手段では、上記両平板状回転部材の突き合わせ部を結合回転部材でカバーすることで、脚立を梯子に回転展開する際に、両突き合わせ部間に手指などの挟み込みを防止することができる。
【図面の簡単な説明】
【００１５】
【図１】本発明に係る回転金具を示す正面図
【図２】一対の両平板状回転部材と結合回転部材の組合せ図
【図３】回転圧接部にゴムを示す正面図
【図４】（ａ）は結合回転部材が１つの回転金具Ｍの脚立を閉じたときの平面図（ｂ）は拡張した結合回転部材が２つの回転金具Ｍの脚立を閉じたときの平面図
【図５】展開した梯子の側面図
【図６】突き合わせ部及び結合回転部材の正面図
【図７】（Ａ）は従来、（Ｂ）本発明の梯子兼用脚立の梯子状態での使用を示す説明図
【発明を実施するための最良の形態】
【００１６】  以下、本発明の実施の形態として第１の実施例及び第２〜第４の実施例を図１〜図６に基づいて説明する。
【実施例１】
【００１７】  図１及び図４の（ａ）は本発明に係る梯子兼用脚立の脚立及び梯子状態での回転金具Ｍを示す正面図及び脚立を閉じた平面図である。この梯子兼用脚立の回転金具Ｍは、左右一対となる両平板状回転部材６，７の夫々の内側上部内に両回転軸４，５と内側縁上部に両歯車２，３を一体成形し、左右一対の両平板状回転部材６，７の夫々の歯車２と歯車３が相対的に噛み合うように構成し、両平板状回転部材６，７の回転軸４，５と結合回転部材１の回転軸４，５とを軸支ピン４，５で軸支する。これにより平板状回転部材７の連結する脚体１１を回転展開する動作により平板状回転部材６の歯車２を平板状回転部材７の歯車３が噛み合い回転し、両平板状回転部材６，７の上端縁側の両突き合わせ部８，９が突き合うことで、梯子兼用脚立の梯子状態が構成される。【００１８】  回転金具Ｍは、図５に示すように２個１組で使用されるもので、両平板状回転部材６，７の上部を脚体１０，１１の取付け角度θ°に応じて変形し、両平板状回転金具６，７の夫々上端部及び下端部を、前後一対の脚体１０，１１の外側面上端部側に夫々に複数個の連結ピン１２で取り付けることによって、両脚体１０，１１の上端部を連結してなるもので、両前後脚体１０，１０、１１，１１間に横架される複数個の踏桟１４とから梯子兼用脚立が構成される。【００１９】  また、上記回転金具Ｍは、図２及び図４（ｂ）に示すように、一対の両平板状回転金具６，７の両歯車２，３の歯車両面をカバーするように結合回転金具１を２枚使用して挟み込み軸支して取り付けても良く回転金具Ｍの強度が増し、歯車にゴミ等の浸入を防ぐことができる。【００２０】  また、上記構成の両平板状回転部材６，７の両歯車２，３は、前記両平板状回転部材６，７と一体成形されているが、両平板状回転部材６，７と両歯車２，３を夫々単体で成形し、連結ピン或いは溶接等で連結しても良い。
【実施例２】
【００２１】  図３は、両平板状回転部材６，７の内側上部内に両回転軸４，５と内側縁上部にゴム装着可能に成形し、両ゴム２２を装着し、両平板状回転部材６，７の両ゴム２２を結合回転部材１で圧接軸支して、圧接部２３の摩擦により回転摺動して結合回転部材１が相対回転することにより実施例１の両平板状回転部材６，７の両歯車２，３と同様の効果で脚立を展開し梯子にすることができる。
【実施例３】
【００２２】  図４（ｂ）、図５の及び図６に示すように、回転金具Ｍの両平板状回転部材６，７と前記両平板状回転部材の両突き合わせ部８，９を脚立に加わる荷重に応じて両平板状回転金具６ａ，７ａと前記両平板状回転部材の両突き合わせ部８ａ，９ａに拡張することで、踏桟１４の多い梯子の両平板状回転部材６ａ，７ａの両突き合わせ部８ａ，９ａの荷重を分散して耐え得る構造となるから、回転金具Ｍの耐用性が向上して、梯子兼用脚立（Ａ）の使用寿命を大幅に延ばすことができる。
【実施例４】
【００２３】  図６に示すように、結合回転金具１を両平板状回転部材６ａ，７ａの両突き合わせ部８ａ，９ａをカバーするように拡張して結合回転部材１ａを成形することで、両脚体１０，１１を梯子状態に展開するときに、両平板状回転部材６ａ，７ａの突き合わせ部８ａ，９ａで手指を挟むことを防止することができる。【００２４】  また、上記の結合回転部材１ａの形状は円形でなくとも両平板状回転部材６ａ，７ａの突き合わせ部８ａ，９ａをカバーすることができる形状であれば良い。【００２５】  また、上記の結合回転部材１ａの形状は、本発明の目的の図７（Ａ）の回転軸３０の突出を無くし、梯子の安定を図るものであるが、脚立収納時の手指の挟み込み防止のために結合回転部材１ａの回転軸４と回転軸５の軸線両側に対称的に結合回転部材１ａを成形しても良い。
【符号の説明】
【００２６】  １      結合回転部材
２，３  歯車
４      結合回転部材の回転軸、平板状回転部材の回転軸、軸支ピン
５      結合回転部材の回転軸、平板状回転部材の回転軸、軸支ピン
６，７  平板状回転部材
８，９  突き合わせ部
１０，１１    脚体
２２    ゴム
２３    圧接部
【要約】
【課題】低コストかつ簡素な機構で、脚立の回転軸が脚立内部に収まる構造で、手指の挟まりを防止できる梯子兼用脚立の回転金具を提供する。
【解決手段】一対の両平板状回転部材６，７の夫々の内側上部内に回転軸４，５と内側縁上部に両歯車２，３を一体成形して、上記両歯車２，３を相対的に噛み合わせ、両平板状回転部材６，７の両回転軸４，５と結合回転部材１の回転軸４，５を軸支ピン４，５にて相対回転可能に軸支する回転手段６，４，５，７で軸支し、脚立展開状態で、両平板状回転部材６，７の両突き合わせ部８，９が突き合い、結合回転部材１を少なくとも一方に配置されている梯子兼用脚立の回転金具。
【選択図】図１【図１】
0004702688.tif 000002
【図２】
0004702688.tif 000003
【図３】
0004702688.tif 000004
【図４】
0004702688.tif 000005
【図５】
0004702688.tif 000006
【図６】
0004702688.tif 000007
【図７】
0004702688.tif 000008